(57)【要約】【課題】  絵本における挿絵、雑誌およびエッセイにおける写真等のような視覚によって読者の興味を引く部分を予め隠し、かつその状態が維持されるようにする。【解決手段】  ページは、三枚の紙５・６・７を重ね合わせたものであって、最下部の第一紙５には挿絵４Ａ・４Ｂが表されており、中間の第二紙６における前記挿絵４Ａ・４Ｂに対応する位置には方形の開口部８が形成され、最上部の第三紙７における前記開口部８に対応する位置には前記開口部８と同様の形状の扉状部９が設けられ、該扉状部９は、その上縁部分が第三紙７に連なって該部分がヒンジ１１となされ、扉状部９の外縁における前記ヒンジ１１を除く他の部分は点線状穴１２となされ、且つ下縁中央部には、凸形摘み部１３が形成されており、該凸形摘み部１３は第ニ紙６の開口部８の下縁中央における下面側に掛止されるようになされている。【選択図】  図２
2006341530.tif 000002
【特許請求の範囲】
【請求項１】
絵、図および写真等の図写部を有する書籍において、少なくとも一ページが三枚の紙を重ね合わせたものであって、最下部の第一紙には一又は複数の図写部が表され、中間の第二紙における前記図写部に対応する位置には開口部が形成され、最上部の第三紙における前記開口部に対応する位置には扉状部が設けられており、該扉状部は、その外縁の一部が第三紙に連なって該部分がヒンジとなされ、扉状部の外縁における他の部分は打抜または点線状穴となされ、且つその一部に凸形摘み部が形成されており、該凸形摘み部は第ニ紙の開口部縁の下面に掛止されるようになされている、隠部を有する書籍。
【請求項２】
絵、図および写真等の図写部を有する書籍において、少なくとも一ページがニ枚の紙を重ね合わせものであって、下部の第一紙には一又は複数の図写部が表され、上部の第ニ紙における前記図写部に対応する位置には扉状部が設けられており、該扉状部は、その外縁の一部が第ニ紙に連なって該部分がヒンジとなされ、扉状部の外縁における他の部分は打抜または点線状穴となされ、且つその一部に凸形摘み部が形成されている、隠部を有する書籍。
【請求項３】
第二紙の開口部縁の内方に、フレームが延長状に設けられている、請求項１記載の隠部を有する書籍。
【請求項４】
扉状部の上面にも図写部が表されている、請求項１〜請求項３のうちのいずれか一項記載の隠部を有する書籍。
【請求項５】
物語、記事およびエッセイ等の文章部を有し、図写部が前記文章部の内容に関連したものであって、左右のページのうち、一方のページに文章部が表され、他方のページが前記請求項１〜請求項４のうちのいずれか一項記載のページとなされている、隠部を有する書籍。
【請求項６】
物語、記事およびエッセイ等の文章部を有し、図写部が前記文章部の内容に関連したものであって、扉状部の上面に前記文章部が表されている、請求項１〜請求項３のうちのいずれか一項記載のページとなされている、隠部を有する書籍。
【請求項７】
文章部に、その内容に対応する図写部が隠された扉状部の符号が記載され、対応する扉状部の表面にも前記符号がそれぞれ付されている、請求項５または請求項６記載の隠部を有する書籍。
【請求項８】
請求項１記載の書籍におけるページの製作方法であって、第一紙の上に第二紙を重ね、第二紙の上に第三紙を重ね、第二紙の開口部縁における第三紙の扉状部の凸形摘み部が掛止される部分は接着せずに、第一紙と第二紙および第二紙と第三紙をそれぞれ接着することを特徴とする、ページの製作方法。
【請求項９】
請求項１記載の書籍におけるページの製作方法であって、一枚の紙を二つ折りにしてその一方を第一紙、他方を第三紙とし、これら両紙の間に第二紙を差し込み、第二紙の開口部縁における第三紙の扉状部の凸形摘み部が掛止される部分は接着せずに、第一紙と第二紙および第二紙と第三紙をそれぞれ接着することを特徴とする、ページの製作方法。
【請求項１０】
絵、図および写真等の図写部と図写部に関連した文章部とを有する書籍において、少なくとも一ページが三枚の紙を重ね合わせたものであって、最下部の第一紙には一又は複数の文章部が表され、中間の第二紙における前記文章部に対応する位置には開口部が形成され、最上部の第三紙における前記開口部に対応する位置には扉状部が設けられており、該扉状部は、その外縁の一部が第三紙に連なって該部分がヒンジとなされ、扉状部の外縁における他の部分は打抜または点線状穴となされ、且つその一部に凸形摘み部が形成されており、該凸形摘み部は第ニ紙の開口部縁の下面に掛止されるようになされている、隠部を有する書籍。
【請求項１１】
絵、図および写真等の図写部と図写部に関連した文章部とを有する書籍において、少なくとも一ページがニ枚の紙を重ね合わせものであって、下部の第一紙には一又は複数の文章部が表され、上部の第ニ紙における前記文章部に対応する位置には扉状部が設けられており、該扉状部は、その外縁の一部が第ニ紙に連なって該部分がヒンジとなされ、扉状部の外縁における他の部分は打抜または点線状穴となされ、且つその一部に凸形摘み部が形成されている、隠部を有する書籍。
【発明の詳細な説明】
【技術分野】
【０００１】
本発明は、物語や記事等の文章と共に、該文章に関連した絵や写真等が掲載された書籍に関し、より詳細には前記絵や写真等が隠されているものである。
【背景技術】
【０００２】
例えば、絵本では、物語が記載された文章部分と、該物語の一場面が描写された挿絵部分とが併存しているが、ページを開けたときに物語と共にその場面の挿絵が既に見えてしまうため、当該絵本を見ている幼児の興味が低下する傾向があり、また幼児の想像力も高められないという欠点があった。
【０００３】
このような問題に対処するために、挿絵を隠すための覆いを設け、物語を読んだ後に前記覆いを開けるようにした絵本が知られている。
【特許文献１】実開平６−２６９９９号公報
【発明の開示】
【発明が解決しようとする課題】
【０００４】
しかしながら、前述した絵本の場合、覆いによって挿絵が隠されるものの、覆いの閉止状態が維持されない構造であったため、絵本をしまう際、前記覆いが開いて挿絵が見えたままの状態で閉じられたり、覆いが折れた状態で閉じられてしまう場合があった。そのため、次にその絵本を読むときには、ページを開けただけで挿絵が見えてしまい、また覆いが折れたままの状態になっているという不都合があった。
【０００５】
また、写真が掲載された雑誌やエッセイ等においては、それらが書店の店頭で立ち読みされる場合、写真を含めたすべての内容が見られるため、当該書籍の購買意欲が失われ易いという問題があった。
【０００６】
本発明の目的は、絵本における挿絵、雑誌およびエッセイにおける写真等のような視覚によって読者の興味を引く部分を予め隠し、かつその状態が維持されるようにした書籍を提供することにある。
【課題を解決するための手段】
【０００７】
請求項１記載の本発明は、絵、図および写真等の図写部を有する書籍において、少なくとも一ページが三枚の紙を重ね合わせたものであって、最下部の第一紙には一又は複数の図写部が表され、中間の第二紙における前記図写部に対応する位置には開口部が形成され、最上部の第三紙における前記開口部に対応する位置には扉状部が設けられており、該扉状部は、その外縁の一部が第三紙に連なって該部分がヒンジとなされ、扉状部の外縁における他の部分は打抜または点線状穴となされ、且つその一部に凸形摘み部が形成されており、該凸形摘み部は第ニ紙の開口部縁の下面に掛止されるようになされたものである。なお、前記図写部には、視覚を通じて読者の興味を引くものがすべて含まれる。
【０００８】
請求項２記載の本発明は、絵、図および写真等の図写部を有する書籍において、少なくとも一ページがニ枚の紙を重ね合わせものであって、下部の第一紙には一又は複数の図写部が表され、上部の第ニ紙における前記図写部に対応する位置には扉状部が設けられており、該扉状部は、その外縁の一部が第ニ紙に連なって該部分がヒンジとなされ、扉状部の外縁における他の部分は打抜または点線状穴となされ、且つその一部に凸形摘み部が形成されたものである。
【０００９】
請求項３記載の書籍は、前記請求項１記載の書籍について、第二紙の開口部縁の内方に、フレームが延長状に設けられていることを特徴とするものである。
【００１０】
請求項４記載の本発明は、前記請求項１〜請求項３のうちのいずれか一項記載の書籍について、扉状部の上面にも図写部が表されていることを特徴とするものである。
【００１１】
請求項５記載の本発明は、物語、記事およびエッセイ等の文章部を有し、図写部が前記文章部の内容に関連したものであって、左右のページのうち、一方のページに文章部が表され、他方のページが前記請求項１〜請求項４のうちのいずれか一項記載のページとなされたものである。
【００１２】
請求項６記載の書籍は、前記請求項１〜請求項３のうちのいずれか一項記載の書籍について、物語、記事およびエッセイ等の文章部を有し、図写部が前記文章部の内容に関連したものであって、扉状部の上面に前記文章部が表されていることを特徴とするものである。
【００１３】
請求項７記載の本発明は、前記請求項４または請求項５記載の書籍について、文章部に、その内容に対応する図写部が隠された扉状部の符号が記載され、対応する扉状部の表面には前記符号がそれぞれ付されていることを特徴とするものである。
【００１４】
請求項８記載の本発明は、前記請求項１記載の書籍におけるページの製作方法であって、第一紙の上に第二紙を重ね、第二紙の上に第三紙を重ね、第二紙の開口部縁における第三紙の扉状部の凸形摘み部が掛止される部分は接着せずに、第一紙と第二紙および第二紙と第三紙をそれぞれ接着することを特徴とするものである。
【００１５】
請求項９記載の本発明は、前記請求項１記載の書籍におけるページの製作方法であって、一枚の紙を二つ折りにしてその一方を第一紙、他方を第三紙とし、これら両紙の間に第二紙を差し込み、第二紙の開口部縁における第三紙の扉状部の凸形摘み部が掛止される部分は接着せずに、第一紙と第二紙および第二紙と第三紙をそれぞれ接着することを特徴とするものである。
【００１６】
請求項１０記載の本発明は、絵、図および写真等の図写部と図写部に関連した文章部とを有する書籍において、少なくとも一ページが三枚の紙を重ね合わせたものであって、最下部の第一紙には一又は複数の文章部が表され、中間の第二紙における前記文章部に対応する位置には開口部が形成され、最上部の第三紙における前記開口部に対応する位置には扉状部が設けられており、該扉状部は、その外縁の一部が第三紙に連なって該部分がヒンジとなされ、扉状部の外縁における他の部分は打抜または点線状穴となされ、且つその一部に凸形摘み部が形成されており、該凸形摘み部は第ニ紙の開口部縁の下面に掛止されるようになされているものである。
【００１７】
請求項１１記載の本発明は、絵、図および写真等の図写部と図写部に関連した文章部とを有する書籍において、少なくとも一ページがニ枚の紙を重ね合わせものであって、下部の第一紙には一又は複数の文章部が表され、上部の第ニ紙における前記文章部に対応する位置には扉状部が設けられており、該扉状部は、その外縁の一部が第ニ紙に連なって該部分がヒンジとなされ、扉状部の外縁における他の部分は打抜または点線状穴となされ、且つその一部に凸形摘み部が形成されているものである。
【発明の効果】
【００１８】
本発明に係る書籍によれば、絵や写真等の視覚によって読者の興味を引く部分が扉状部によって隠されているため、絵本では親と子供が物語を読み進めるのに伴って、対応する扉状部を開けて挿絵を適宜見ることができるのは勿論、読み終えた物語に対応する挿絵の扉状部を閉めて、その凸形摘み部を掛止することにより、扉状部の閉止状態が維持されることから、子供に整理整頓の習慣がつくことを助長し、また従来の絵本のように、挿絵の覆いが開いたり、折れたりしたままの状態で絵本が閉じられることを有効に防止することができる。
【００１９】
また、扉状部が点線状穴によって形成されている本発明の書籍が雑誌や写真集等である場合、視覚的に読者の興味を引く写真、挿絵等の部分を前記扉状部で閉止しておけば、これら書籍が書店の店頭で立ち読みされる場合でも、点線状穴によって形成された扉状部は、当該書籍を購入した上で点線状穴に沿って破断しなければ、扉状部が開けられないため、立ち読みされても書籍の購買意欲が減少することがなく、むしろ購買意欲を高めることが期待される。
【００２０】
本発明に係るページの製作方法によれば、前述した種々の効果を奏する書籍のページを簡単かつ効率的につくることができる。
【発明を実施するための最良の形態】
【００２１】
次に、本発明の実施形態を図面にしたがって説明するが、本発明は係る実施形態に限定されるものではなく、その要旨の範囲内で種々の変形実施が可能である。
【００２２】
（実施形態１）
【００２３】
図１に示すように、本実施形態は、絵本(10)に関するものである。
【００２４】
右側のページ(2)は、図２および図３に示すように、三枚の紙(5)(6)(7)を重ね合わせたものであって、最下部の第一紙(5)には前記挿絵(4A)(4B)が表されており、中間の第二紙(6)における前記挿絵(4A)(4B)に対応する位置には方形の開口部(8)が形成され、最上部の第三紙(7)における前記開口部(8)に対応する位置には扉状部(９A)(９B)が設けられている。扉状部(９A)(９B)は、全体が前記開口部(8)と同サイズの方形であって、その上縁部分が第三紙(7)に連なって該部分がヒンジ(11)となされ、また扉状部(９A)(９B)の外縁における前記ヒンジ(11)を除く他の部分は点線状穴(12)となされ、且つ下縁中央部には、凸形摘み部(13)が形成されている。扉状部(９A)(９B)は、その点線状穴(12)に沿って切り離すことで、ヒンジ(11)を介して開けられるようになされている。
【００２５】
右側のページ(2)における扉状部(９A)(９B)の表面には連続番号が表示される一方、左側のページ(1)に表された物語(3)中には、その内容に対応する挿絵(4A)(4B)が隠されている扉状部(９A)(９B)の番号が入っており、物語(3)を読むと共に、物語(3)中にある番号の扉状部(９A)(９B)を、その点線状穴(12)に沿って切り離した後、凸形摘み部(13)を摘んで開けることにより、物語(3)の進行に合わせて挿絵(4A)(4B)が表われる構成となっている。
【００２６】
そして、図１および図４に示すように、挿絵(4A)(4B)を見た後においては、第三紙(7)における扉状部(９A)(９B)の凸形摘み部(13)を、第二紙(6)の開口部(8)における下縁中央(8a)の下面に掛止することにより、該扉状部(９A)(９B)の閉止状態が維持されるようになされている。
【００２７】
前記右側のページ(1)を製作する場合、図３に示すように、第一紙(5)の上に第二紙(6)を重ね、第二紙(6)の上に第三紙(7)を重ね、第二紙(6)の開口部(8)縁における第三紙(7)の扉状部(9)の凸形摘み部(13)が掛止される部分(14)は接着せずに、第一紙(5)と第二紙(6)および第二紙(6)と第三紙(7)をそれぞれ接着すれば良い。
【００２８】
この他、前記右側のページ(1)の他の製作方法としては、図５に示すように、一枚の紙(P)を二つ折りにしてその一方を第一紙(5)、他方を第三紙(7)とし、これら両紙(5)(7)の間に第二紙(6)を差し込んだ後、第二紙(6)の開口部(8)縁における第三紙(7)の扉状部(９A)(９B)の凸形摘み部(13)が掛止される部分(14)は接着せずに、第一紙(5)と第二紙(6)および第二紙(6)と第三紙(7)をそれぞれ接着すれば良い。
【００２９】
なお、図６に示すように、開口部および扉状部の数や形状および構造は、挿絵の数および外形等に対応して任意に変更し得ることは勿論である。
【００３０】
（実施形態２）
【００３１】
図７に示すように、本実施形態の絵本(20)は、左右のページ(21)(22)がいずれも前記実施形態１の右側のページ(2)と同様の構造となっているが、本実施形態では扉状部(29A)(29B) 
(29C)(29D)の上面に物語(23)が表され、また扉状部(29A)(29B)
(29C)(29D) が打抜きによって構成されている点で異なっている。
【００３２】
本実施形態の絵本(20)の場合、扉状部(29A)(29B) (29C)(29D)に連続番号が付され、この番号にしたがって扉状部(29A)(29B) (29C)(29D)の表面に現された物語(23)を読んだ後、その扉状部(29A)(29B) (29C)(29D)を開ければ、物語(23)の場面に対応する挿絵(24)が見られるようになっている。
【００３３】
また、本実施形態では、図８に示すように、第二紙(26)の開口部(28A)(28B)(28C)(28D)のうち、開口部(28A)(28B)の内縁にフレーム(15A)(15B)(15C)が延長状に設けられている。該フレーム(15A) (15B) (15C)は、第一紙(27)に描かれた挿絵(24A)(24B)等に立体感や紙芝居感等の視覚的効果を与えるものである。
【００３４】
なお、本実施形態におけるフレーム(15A)(15B)(15C)を有する第二紙(26)は、前記実施形態１における第二紙(6)に使用しても良い。
【００３５】
（実施形態３）
【００３６】
図９および図１０に示すように、本実施形態は雑誌(30)に関するものであって、一ページがニ枚の紙を重ね合わせたものであって、下部の第一紙(31)に二つの写真(32A)(32B)が掲載され、上部の第ニ紙(33)における前記写真(32A)(32B)に対応する位置には扉状部(34A)(34B)が設けられ、扉状部(34A)(34B)以外の部分には、写真(32A)(32B)に関する記事(38)が掲載されている。該扉状部(34A)(34B)は、その外縁の一部が第ニ紙(33)に連なって該部分がヒンジ(35)となされ、扉状部(34A)(34B)の外縁における他の部分は点線状穴(36)となされ、且つその一部に凸形摘み部(37)が形成されている。
【００３７】
本実施形態の雑誌(30)によれば、書店やコンビニエンスストア等の店頭で、立ち読みされても、読者は雑誌(30)を購入しないと、扉状部(34A)(34B)をその点線状穴(36)に沿って破断することができないため、扉状部(34A)(34B)に隠された写真(32A)(32B)を見ることができない。
【００３８】
（実施形態４）
【００３９】
前述した実施形態１〜実施形態３では、いずれも扉状部(9A)(9B)
(29A)(29B)(34A)(34B)によって、図写部としての挿絵(4A)(4B)
(24A)(24B)や写真(32A)(32B)が隠され、文章部としての物語(3)(23)や記事(38)は隠されていない構成としたが、この逆の構成、すなわち図写部と文章部とを入れかえて、扉状部(9A)(9B) (29A)(29B)(34A)(34B)によって、文章部が隠される構成としても良い。
【００４０】
（実施形態５）
【００４１】
本実施形態は、前記実施形態１の変形例である。すなわち、本実施形態の絵本は、実施形態１と同様、三枚の紙を重ね合わせたものあって、図１１に示すように、絵本(40)は、左右のページ(1)(2)のうち、左側のページ(1)に物語(3)が表され、右側のページ(2)には物語(3)に関連した挿絵(44A)(44B)(44C)が表されている。そして、実施形態１と異なる点は、挿絵(44A)(44B)(44C)が、第三紙だけでなく、扉状部
(49A)(49B)の表面にも表されていることである。
【００４２】
本実施形態の絵本(40)によれば、扉状部(49A)(49B)が閉じた状態および開いた状態でおいて、互いに異なる場面の挿絵(44A)(44B)(44C)が見られる。
【産業上の利用可能性】
【００４３】
本発明は、絵本、エッセイおよび雑誌の他、写真集、マンガ、小説等の種々の書籍に応用することができる。
【図面の簡単な説明】
【００４４】
【図１】実施形態１に係る絵本の正面図である。
【図２】同実施形態におけるページ構成を示す正面図である。
【図３】同実施形態におけるページの製作要領を示す斜視図である。
【図４】ページの部分拡大断面図である。
【図５】同実施形態におけるページの製作要領を示す斜視図である。
【図６】ページにおける扉状部の他の構成例を示す斜視図である。
【図７】実施形態２に係る絵本の正面図である。
【図８】同実施形態における第二紙の正面図である。
【図９】実施形態３に係る雑誌の正面図である。
【図１０】同実施形態のページ構成を示す斜視図である。
【図１１】実施形態５に係る絵本の正面図である。
【符号の説明】
【００４５】
(1)  左側ページ
(2)  右側ページ
(3)  物語
(4A)(4B)  挿絵
(5)  第一紙
(6)  第二紙
(7)  第三紙
(8)  開口部
(9A)(9B)  扉状部
(10)  絵本
(11)  ヒンジ
(12)  点線状穴
(13)  凸形摘み部
(15A)(15B)(15C) フレーム
【図１】
2006341530.tif 000003
【図２】
2006341530.tif 000004
【図３】
2006341530.tif 000005
【図４】
2006341530.tif 000006
【図５】
2006341530.tif 000007
【図６】
2006341530.tif 000008
【図７】
2006341530.tif 000009
【図８】
2006341530.tif 000010
【図９】
2006341530.tif 000011
【図１０】
2006341530.tif 000012
【図１１】
2006341530.tif 000013